(57)【要約】【課題】冷気および暖気それぞれの吹出空気の温度調節を行えるようにする。【解決手段】空気調和装置１００では、ダンパ装置７０のダンパ板７１が連絡部６５を、空気の流通を許容する状態および空気の流通を阻止する状態のいずれかに切り換えることができる。その結果、第１通風路１８の暖気を第２通風路１９の冷気に混ぜて冷気の温度調節をし、又は第２通風路１９の冷気を第１通風路１８の暖気に混ぜて暖気の温度調節をする。【選択図】図１２Ｂ
2022001799.tif 000002
【特許請求の範囲】
【請求項１】
圧縮機（９）、放熱器（１０）および蒸発器（１２）の順に冷媒を循環させる空気調和装置であって、
前記放熱器（１０）および前記蒸発器（１２）を通過する空気の流れを生成するファン（１３）と、
前記放熱器（１０）で加熱された空気を所定空間に導く第１通風路（１８）と、
前記蒸発器（１２）で冷却された空気を所定空間に導く第２通風路（１９）と、
前記第１通風路（１８）と前記第２通風路（１９）とを結ぶ連絡部（６５）と、
前記連絡部（６５）を、空気の流通を許容する状態および空気の流通を阻止する状態のいずれかに切り換える切換部（７０）と、
を備える、
空気調和装置（１００）。
【請求項２】
前記圧縮機（９）、前記放熱器（１０）、前記蒸発器（１２）および前記ファン（１３）を収容するケーシング（２０）をさらに備え、
前記ケーシング（２０）は、
前記第１通風路（１８）からの空気を吹き出す第１吹出口（７）と、
前記第２通風路（１９）からの空気を吹き出す第２吹出口（８）と、
を有する、
請求項１に記載の空気調和装置（１００）。
【請求項３】
前記第１通風路（１８）と前記第２通風路（１９）とを分ける仕切部材（６２）をさらに備え、
前記連絡部（６５）および前記切換部（７０）は、前記仕切部材（６２）に設けられている、
請求項１又は請求項２に記載の空気調和装置（１００）。
【請求項４】
前記切換部（７０）はダンパ（７１）を含む、
請求項１から請求項３のいずれか１項に記載の空気調和装置（１００）。
【請求項５】
前記ダンパ（７１）は、空気の流通方向を切り換える、
請求項４に記載の空気調和装置（１００）。
【請求項６】
前記ダンパ（７１）は、空気の流通量を調節する、
請求項４に記載の空気調和装置（１００）。
【請求項７】
前記ダンパ（７１）は、
空気の流通を阻止する閉姿勢、
前記第１通風路（１８）から前記第２通風路（１９）へ空気を導く第１姿勢、及び
前記第２通風路（１９）から前記第１通風路（１８）へ空気を導く第２姿勢、
のいずれかの姿勢を採る、
請求項４から請求項６のいずれか１項に記載の空気調和装置（１００）。
【請求項８】
前記ダンパ（７１）は、回動可能な板状部材であり、
前記第１姿勢では前記ダンパ（７１）の風上側の端が前記第１通風路（１８）に入り、
前記第２姿勢では前記ダンパ（７１）の風上側の端が前記第２通風路（１９）に入る、
請求項７に記載の空気調和装置（１００）。
【請求項９】
前記蒸発器（１２）で生じる結露水を受けて前記放熱器（１０）に導く水受部材（６０）をさらに備え、
前記水受部材（６０）は、前記蒸発器（１２）の風下側に向かって延びる拡張部を有しており、
前記拡張部が前記仕切部材（６２）を兼ねる、
請求項３に記載の空気調和装置（１００）。
【請求項１０】
前記連絡部（６５）は、開口である、
請求項１から請求項９のいずれか１項に記載の空気調和装置（１００）。
【請求項１１】
前記放熱器（１０）および前記蒸発器（１２）は、間隔を空けて積み重なるように配列された複数のフィン（１０１，１２１）と、複数の前記フィン（１０１，１２１）を厚み方向に貫通する複数の伝熱管（１０３，１２３）と、を有するフィンアンドチューブ式の熱交換器であって、
前記蒸発器（１２）の前記伝熱管（１２３）の列数は、前記放熱器（１０）の前記伝熱管（１０３）の列数よりも少ない、
請求項１から請求項１０のいずれか１項に記載の空気調和装置（１００）。
【発明の詳細な説明】
【技術分野】
【０００１】
冷媒回路を１つのケーシング内に収納した空気調和装置に関する。
【背景技術】
【０００２】
従来、空気調和装置の吹出空気の温度調節にダンパを用いたものがある。例えば、特許文献１（特開２００３−３１４８５５号公報）に記載の空気調和装置は、ダンパが空気の通路を切り換え、冷気と暖気とが混合されて吹出口から吹き出されるという構成である。
【発明の概要】
【発明が解決しようとする課題】
【０００３】
しかしながら、上記の空気調和装置は、冷気と暖気とを完全に混合するだけであり、冷気および暖気それぞれの温度調節をすることができない。それゆえ、冷気および暖気それぞれの吹出空気の温度調節を行えるようにする、という課題がある。
【課題を解決するための手段】
【０００４】
第１観点の空気調和装置は、圧縮機、放熱器および蒸発器の順に冷媒を循環させる空気調和装置であって、ファンと、第１通風路と、第２通風路と、連絡部と、切換部とを備えている。ファンは、放熱器および蒸発器を通過する空気の流れを生成する。第１通風路は、放熱器で加熱された空気を所定空間に導く。第２通風路は、蒸発器で冷却された空気を所定空間に導く。連絡部は、第１通風路と第２通風路とを結ぶ。切換部は、連絡部を、空気の流通を許容する状態および空気の流通を阻止する状態のいずれかに切り換える。
【０００５】
この空気調和装置では、第１通風路の暖気を第２通風路の冷気に混ぜて冷気の温度調節をし、又は第２通風路の冷気を第１通風路の暖気に混ぜて暖気の温度調節をすることによって、冷気および暖気それぞれの吹出空気の温度を制御することができる。
【０００６】
第２観点の空気調和装置は、第１観点の空気調和装置であって、ケーシングをさらに備えている。ケーシングは、圧縮機、放熱器、蒸発器およびファンを収容する。ケーシングは、第１通風路からの空気を吹き出す第１吹出口と、第２通風路からの空気を吹き出す第２吹出口とを有している。
【０００７】
この空気調和装置では、第１吹出口からは暖気、又は冷気を混合して温度調節された暖気が吹き出される。第２吹出口からは冷気、又は暖気を混合して温度調節された冷気が吹き出される。
【０００８】
第３観点の空気調和装置は、第１観点又は第２観点の空気調和装置であって、第１通風路と第２通風路とを分ける仕切部材をさらに備えている。連絡部および切換部は、仕切部材に設けられている。
【０００９】
この空気調和装置では、第１通風路および第２通風路の双方に最も近い位置に連絡部および切換部を設けることができるので、製品の小型化に寄与する。
【００１０】
第４観点の空気調和装置は、第１観点から第３観点のいずれか１つの空気調和装置であって、切換部はダンパを含んでいる。
【００１１】
第５観点の空気調和装置は、第４観点の空気調和装置であって、ダンパが、空気の流通方向を切り換える。
【００１２】
この空気調和装置では、第１通風路から吹き出される暖気の温度を変えずに第２通風路から吹き出される冷気の温度を上げ、又は第２通風路から吹き出される冷気の温度を変えずに第１通風路から吹き出される暖気の温度を下げることができる。
【００１３】
第６観点の空気調和装置は、第４観点の空気調和装置であって、ダンパが、空気の流通量を調節する。
【００１４】
この空気調和装置では、第２通風路から吹き出される冷気の温度の上げ幅を制御し、又は第１通風路から吹き出される暖気の温度の下げ幅を制御することができる。
【００１５】
第７観点の空気調和装置は、第４観点から第６観点のいずれか１つの空気調和装置であって、ダンパが、閉姿勢、第１姿勢、および第２姿勢のいずれかの姿勢を採る。閉姿勢のダンパは、空気の流通を阻止する。第１姿勢のダンパは、第１通風路から第２通風路へ空気を導く。第２姿勢のダンパは、第２通風路から第１通風路へ空気を導く。
【００１６】
この空気調和装置では、ダンパが第１姿勢を採ることにより、第１通風路から吹き出される暖気の温度を変えずに、第２通風路から吹き出される冷気の温度を上げ、且つ、その上げ幅を制御する。また、ダンパが第２姿勢を採ることにより、第２通風路から吹き出される冷気の温度を変えずに第１通風路から吹き出される暖気の温度を下げ、且つ、その下げ幅を制御する。
【００１７】
第８観点の空気調和装置は、第７観点の空気調和装置であって、ダンパが、回動可能な板状部材である。第１姿勢では、ダンパの風上側の端が第１通風路に入るように回動する。第２姿勢では、ダンパの風上側の端が第２通風路に入るように回動する。
【００１８】
この空気調和装置では、第１姿勢ではダンパの風上側の端が第１通風路の暖気を捉えて第２通風路に導く。第２姿勢ではダンパの風上側の端が第２通風路の冷気を捉えて第１通風路に導く。
【００１９】
第９観点の空気調和装置は、第３観点の空気調和装置であって、水受部材をさらに備えている。水受部材は、蒸発器で生じる結露水を受けて放熱器に導く。水受部材は、蒸発器の風下側に向かって延びる拡張部を有している。拡張部は仕切部材を兼ねている。
【００２０】
この空気調和装置では、仕切部材と水受部材とを共用するので、部品点数の削減に寄与する。
【００２１】
第１０観点の空気調和装置は、第１観点から第９観点のいずれか１つの空気調和装置であって、連絡部が開口である。この空気調和装置では、構造がシンプルで製品の小型化に寄与する。
【００２２】
第１１観点の空気調和装置は、第１観点から第１０観点のいずれか１つの空気調和装置であって、放熱器および蒸発器は、間隔を空けて積み重なるように配列された複数のフィンと、複数のフィンを厚み方向に貫通する複数の伝熱管とを有するフィンアンドチューブ式の熱交換器である。蒸発器の伝熱管の列数は、放熱器の伝熱管の列数よりも少ない。
【図面の簡単な説明】
【００２３】
【図１】本開示の一実施形態の空気調和装置の冷媒回路図。
【図２】空気調和装置の斜視図。
【図３】ケーシングの第２側面および第３側面が手前側になるように配置したときの空気調和装置の斜視図。
【図４】第２側面が手前側になるように配置して真上から視たときの空気調和装置の平面図。
【図５】放熱器、蒸発器およびファンの位置関係を示す斜視図。
【図６】図５の放熱器、蒸発器およびファンを別の角度から視たときの斜視図。
【図７】水受部材の斜視図。
【図８】図７の水受部材を下方から視たときの斜視図。
【図９Ａ】図３に示す仮想平面Ｆ１において切断された空気調和装置の部分断面図。
【図９Ｂ】図３に示す仮想平面Ｆ２において切断された空気調和装置の部分断面図。
【図１０】第１通風路および第２通風路の斜視図。
【図１１】空気調和装置の制御ブロック図。
【図１２Ａ】通常モードで運転中の空気調和装置の縦断面図。
【図１２Ｂ】第１モードで運転中の空気調和装置の縦断面図。
【図１２Ｃ】第２モードで運転中の空気調和装置の縦断面図。
【図１３Ａ】第１モードにおけるダンパ装置を示す斜視図。
【図１３Ｂ】第２モードにおけるダンパ装置を示す斜視図。
【図１４Ａ】通常モードで運転中の変形例の空気調和装置の縦断面図。
【図１４Ｂ】第１モードで運転中の変形例の空気調和装置の縦断面図。
【図１４Ｃ】第２モードで運転中の変形例の空気調和装置の縦断面図。
【発明を実施するための形態】
【００２４】
（１）空気調和装置１００の構成
図１は、本開示の一実施形態の空気調和装置１００の冷媒回路図である。図１において、空気調和装置１００は、圧縮機９、放熱器１０、減圧機構１１および蒸発器１２の順に冷媒が循環する冷媒回路を有している。なお、減圧機構１１としては、キャピラリチューブ、又は膨張弁が採用される。
【００２５】
放熱器１０および蒸発器１２は、ともにフィンアンドチューブ式の熱交換器である。ケーシング２０は、圧縮機９、放熱器１０、減圧機構１１、蒸発器１２を収容している。さらにケーシング２０は、ファン１３と、圧縮機９およびファン１３を制御する電装品５０（図３，４参照）をも収容している。
【００２６】
なお、本実施形態では、ファン１３は、クロスフローファンであり、放熱器１０および蒸発器１２の風上側に配置されており、放熱器１０および蒸発器１２を通過する空気の流れを生成する。
【００２７】
（２）空気調和装置１００の各部詳細
図２は、空気調和装置１００の斜視図である。図２において、ケーシング２０は、水平断面が略矩形である直方体形状を成しており、長手方向が鉛直方向となるように配置される。
【００２８】
（２−１）ケーシング２０
図２に示すように、ケーシング２０は、第１側壁２１、第２側壁２２、第３側壁２３および第４側壁２４を有している。また、底板２９（図３参照）と天板３０とをさらに有している。ケーシング２０は、第１側壁２１、第２側壁２２、第３側壁２３および第４側壁２４によって形成された筒の両端の開口を底板２９と天板３０とによって閉じた態様である。
【００２９】
また、図２において、上記４つの側壁によって形成される４つのコーナーは、第１側壁２１と第４側壁２４との間に形成されるものを第１コーナー２５とし、そこから右回りに順に第２コーナー２６、第３コーナー２７、第４コーナー２８とする。
【００３０】
ケーシング２０には、第１吸込口５、第２吸込口６、第１吹出口７および第２吹出口８が設けられている。第１吸込口５と第１吹出口７とは、第１側壁２１に形成されている。第２吸込口６は、第４側壁２４に形成されている。第２吹出口８は、第２側壁２２に形成されている。
【００３１】
また、第２側壁２２の下方には、貯水タンク８０を着脱するための貯水タンク装着口２２ａが形成されている。貯水タンク８０は、空気調和装置１００内部で発生した結露水を貯める。
【００３２】
天板３０には、操作パネル３０１と、把手３０３とが設けられている。操作パネル３０１は、空気調和装置１００の運転／停止など、各種の操作を行うためのスイッチを含んでいる。操作パネル３０１は、ユーザーが第２吹出口８と対峙したときに手前側に位置するように設けられている。
【００３３】
図３は、ケーシング２０の第２側壁２２および第３側壁２３が手前側になるように配置したときの空気調和装置１００の斜視図である。また、図４は、第２側壁２２が手前側になるように配置して真上から視たときの空気調和装置１００の平面図である。
【００３４】
図３および図４において、ケーシング２０は輪郭だけを示す二点鎖線で表示している。図３および図４に示すように、圧縮機９、およびファン１３がケーシング２０を鉛直に貫く仮想中心軸よりも第４側壁２４側に配置されている。これらは、他の機器に比べて重量が大きいので、重心位置が中心軸より第４側壁２４側へ偏っている。
【００３５】
それゆえ、図２に示すように、把手３０３を掴んで空気調和装置１００を持ち上げたときに傾かないように、把手３０３は天板３０の中心より第４側壁２４側へ偏った位置に設けられている。
【００３６】
また、図２に示すように、把手３０３は、天板３０の他の部分の面よりも窪んだ平面に設けられており、把手３０３を掴んで持ち上げたときに、人の指が入る程度の隙間ができるように構成されている。
【００３７】
（２−２）放熱器１０、蒸発器１２およびファン１３
図５は、放熱器１０、蒸発器１２およびファン１３の位置関係を示す斜視図である。また、図６は、図５の放熱器１０、蒸発器１２およびファン１３を別の角度から視たときの斜視図である。
【００３８】
図５において、放熱器１０および蒸発器１２はフィンアンドチューブ式熱交換器である。蒸発器１２は、放熱器１０の上方に位置し、且つ、蒸発器１２の鉛直上方から視たとき、蒸発器１２と放熱器１０との投影部分が重なるように配置されている。
【００３９】
（２−２−１）放熱器１０
放熱器１０は、鉛直方向に間隔を空けて積み重なるように配列された複数のフィン１０１と、複数のフィン１０１を厚み方向に貫通する複数の伝熱管１０３とを有している。伝熱管１０３は、空気の流れ方向に３列となるように構成されている。
【００４０】
蒸発器１２で生じる結露水はフィン１０１上に導かれるが、フィン１０１の平面領域が上方を向いているので、結露水が流れ落ち難くフィン１０１に長く留まる。
【００４１】
したがって、フィンの平面領域が鉛直方向と平行に配置される場合に比べて、結露水の蒸発量は多くなり、その分、貯水タンク８０に貯まる結露水を少なくすることができる。
【００４２】
（２−２−２）蒸発器１２
蒸発器１２は、水平方向に間隔を空けて積み重なるように配列された複数のフィン１２１と、複数のフィン１２１を厚み方向に貫通する複数の伝熱管１２３とを有している。伝熱管１２３は、空気の流れ方向に２列となるように構成されている。
【００４３】
フィン１２１の平面領域が鉛直方向に延びるので、蒸発器１２に生じた結露水は留まりにくく、容易に落下することができる。
【００４４】
（２−２−３）ファン１３
ファン１３は、ファンロータ１３ａ、ファンロータ１３ｂおよびファンモータ１３ｃを有している。本実施形態では、ファンロータ１３ａとファンロータ１３ｂとは一体に成形された１つのファンロータであるが、説明の便宜上、ファンロータの放熱器１０側部分をファンロータ１３ａ、蒸発器１２側部分をファンロータ１３ｂと区別している。
【００４５】
ファンモータ１３ｃは底板２９上に固定され、ファンモータ１３ｃの回転軸はファンロータ１３ａに連結されている。
【００４６】
ファンロータ１３ａは放熱器１０に対向する位置にあって空気を放熱器１０に向かって押し出す。ファンロータ１３ｂは蒸発器１２に対向する位置にあって空気を蒸発器１２に向かって押し出す。
【００４７】
このように、ファン１３は、放熱器１０および蒸発器１２の風上側に配置されているので、少なくとも放熱器１０および蒸発器１２に流れる空気の吸込口を共有することができるというメリットがある。
【００４８】
（２−３）水受部材６０
図５および図６に示すように放熱器１０と蒸発器１２との間には、水受部材６０が設けられている。図７は、水受部材６０の斜視図である。図５、図６および図７において、水受部材６０は、水受板６００と、第１側板６０１と、第２側板６０２とによって容器を形成している。
【００４９】
（２−３−１）水受板６００
図７に示すように、水受板６００は水受面６０ａを有している。水受面６０ａは、第１水受面６０ａａ、第２水受面６０ａｂ、第３水受面６０ａｃを含んでいる。
【００５０】
（２−３−１−１）第１水受面６０ａａ
第１水受面６０ａａは、空気流れの風下側になるほど高さ位置が上位となるように傾斜しており、水受面６０ａに落下した結露水は風上側へ流れる。
【００５１】
（２−３−１−２）第２水受面６０ａｂ
第２水受面６０ａｂは、第１水受面６０ａａよりも風上側で、且つ、蒸発器１２側から視て水抜き孔６０ａｄよりも右側に形成された三角形領域ｐｑｒである。第２水受面６０ａｂは３つの頂点ｐ，ｑ，ｒを有し、三角形領域ｐｑｒの三辺のうちの短辺ｐ−ｑが水受面６０ａの右端の一部を兼ねており、残りの辺ｐ−ｒと辺ｑ−ｒは近接しながら左方へ延び、水抜き孔６０ａｄと合流するように頂点ｒが形成されている。辺ｑ−ｒは、第１水受面６０ａａと第２水受面６０ａｂとの境界線である。
【００５２】
辺ｐ−ｑは、頂点ｒより高さ位置が高く設定されているので、辺ｐ−ｒおよび辺ｑ−ｒは頂点ｒに近づくほど高さ位置が低くなっている。
【００５３】
なお、第２水受面６０ａｂには、蒸発器１２の一部形状との干渉を避けるために円弧上に除去した逃し領域６０ａｂ’が形成されているが、この逃し領域６０ａｂ’も水抜き孔６０ａｄに近づくほど高さ位置が低くなるように成形されている。
【００５４】
（２−３−１−３）第３水受面６０ａｃ
第３水受面６０ａｃは、第１水受面６０ａａよりも風上側で、且つ、蒸発器１２側から視て水抜き孔６０ａｄよりも左側に形成された三角形領域ｘｙｚである。第３水受面６０ａｃは３つの頂点ｘ，ｙ，ｚを有し、三角形領域ｘｙｚの三辺のうちの短辺ｘ−ｙが水受面６０ａの左端の一部を兼ねており、残りの辺ｘ−ｚと辺ｙ−ｚが近接しながら右方へ延び、水抜き孔６０ａｄと合流するように頂点ｚが形成されている。辺ｙ−ｚは、第１水受面６０ａａと第３水受面６０ａｃとの境界線である。
【００５５】
辺ｘ−ｙは、頂点ｚより高さ位置が高く設定されているので、辺ｙ−ｚおよび辺ｘ−ｚは頂点ｚに近づくほど高さ位置が低くなっている。
【００５６】
（２−３−１−４）水抜き孔６０ａｄ
水抜き孔６０ａｄは、水受面６０ａの最も高さ位置が低い部分を形成した上で、水受板６００を貫通するように設けられている。水抜き孔６０ａｄは、図６および図７に示すように、ファン１３側から視て水受部材６０の中央よりも左寄りに設けられている。
【００５７】
（２−３−２）第１側板６０１
第１側板６０１は、蒸発器１２側から視て水受板６００の左端から鉛直方向に起立している。第１側板６０１は、水受面６０ａに落下した結露水が左側方から溢れないよう堰き止める機能を有している。
【００５８】
なお、水受面６０ａを挟んで第１側板６０１と反対側にも同様の側板を設けてもよい。但し、本実施形態では、蒸発器１２を側方から挿入することができる構成とするため、第１側板６０１と対向する側を開放している。
【００５９】
（２−３−３）第２側板６０２
第２側板６０２は、ファン１３側から視て水受板６００の風上側の端から鉛直上方に起立している。ファン１３側から視て第１側板６０１の風上側の端と第２側板６０２の左端とは繋がっている。第２側板６０２は、水受面６０ａの傾斜に沿って風上側に流れてくる結露水を水受面６０ａの風上側で堰き止める機能を有している。
【００６０】
（２−３−４）導水部６１
図８は、図７の水受部材６０を下方から視たときの斜視図である。図８において、導水部６１は、水受面６０ａの高さ位置が最も低い部分から下方に延びる水路である。導水部６１は筒状を成し、その空洞部分は水受板６００の水抜き孔６０ａｄ（図７参照）と繋がっている。図６に示すように、導水部６１の先端は放熱器１０の風上側に位置し、その先端は放熱器１０の上から複数枚目のフィン１０１の高さ位置まで延びている。
【００６１】
導水部６１の先端部６１ａは、下方になるほど放熱器１０に近づく滑らかな円弧状に成形されている。その先端部６１ａの断面形状は凹形状であり、その凹形状は底を風上側に向け、放熱器１０のフィン１０１に向かって開いている。それゆえ、結露水は、導水部６１によって放熱器１０のフィン１０１に導かれる。
【００６２】
導水部６１および水受板６００の水抜き孔６０ａｄは、図６および図８に示すように、ファン１３側から視て水受部材６０の中央よりも左寄りに設けられている。導水部６１は、風の抵抗となりにくい場所（例えば、風速の小さい場所）に配置されるのが望ましい。
【００６３】
（２−３−５）拡張部６２
水受部材６０は、拡張部６２をさらに有している。図６に示すように、拡張部６２は、水受板６００の風下側の端部からさらに風下側に向かって延びている。拡張部６２は拡張面６２ａを有し、その拡張面６２ａは水受面６０ａの風下側の端部からさらに風下側に向かってほぼ水平に延びる。
【００６４】
さらに、拡張部６２は、放熱器１０を通過した空気が通る第１通風路１８と蒸発器１２を通過した空気が通る第２通風路１９とを上下に分ける仕切部材としての機能も果たしている。
【００６５】
（２−３−６）リブ６３
図５および図７に示すように、２つのリブ６３が水受部材６０に設けられている。リブ６３は、蒸発器１２側から視て、水受面６０ａから拡張面６２ａの先端に向かって延びている。２つのリブ６３は互いに平行であり、その間隔は、伝熱管１２３を除いた蒸発器１２の横幅より大きい。
【００６６】
説明の便宜上、蒸発器１２から視て、左側のリブ６３を第１リブ６３１、右側のリブ６３を第２リブ６３２と言う。第１リブ６３１には、長手方向に延びる溝６３１ａが設けられている。同様に、第２リブ６３２には、長手方向に延びる溝６３２ａが設けられている。溝６３１ａ，６３２ａには、蒸発器１２側の第２通風路１９の部材がはめ込まれる。
【００６７】
（２−３−７）ファン側案内板６４
図６および図７に示すように、ファン側案内板６４は、第２側板６０２からファン１３に向かって延びる板である。ファン側案内板６４はファンロータ１３ａ又はファンロータ１３ｂの外周に沿った円弧端６４ａを有し、その円弧端６４ａはファンロータ１３ａ又はファンロータ１３ｂに近接している。
【００６８】
ファン側案内板６４は、ファン１３から吹き出される空気を放熱器１０側と蒸発器１２とに分ける。本実施形態において、ファン側案内板６４は、ファン１３に向かって斜め上方に傾いている。これは、放熱器１０の通風抵抗が蒸発器１２よりも大きいので、放熱器１０に蒸発器１２よりも多くの空気を押し込むようにしているからである。
【００６９】
（２−３−８）ダンパ装置７０
空気調和装置１００は、第１通風路１８および第２通風路１９へ空気を流すモードとして、「第１通風路１８に暖気のみを流し、第２通風路１９に冷気のみを流す通常モード」の他に、「第１通風路１８を流れる暖気の一部を第２通風路１９へ流す第１モード」、および、「第２通風路１９を流れる冷気の一部を第１通風路１８へ流す第２モード」を有している。
【００７０】
ダンパ装置７０は、上記モードを通常モード、第１モードおよび第２モードのいずれかに切り換える切換部である。図５、図６および図７に示すように、ダンパ装置７０は、ダンパ板７１と、そのダンパ板７１を回動させる駆動部７２とを有している。
【００７１】
ダンパ板７１は、水受部材６０の拡張部６２に形成された「第１通風路１８と第２通風路１９とを結ぶ連絡部６５」に配置され、連絡部６５を流れようとする空気を止め、或いは連絡部６５を流れようとする空気の量を制限する。駆動部７２は、第２リブ６３２に隣接するように配置されている。
【００７２】
なお、ダンパ装置７０については、後段で詳細を説明する。
【００７３】
（２−４）貯水タンク８０
図５および図６に示すように、貯水タンク８０は、放熱器１０の下方に配置されており、放熱器１０で蒸発しきれずに落下してくる結露水を受け止めて貯える。そのため、貯水タンク８０の上蓋８１には中央に向かって高さ位置が低くなる凹状面８１ａが形成されており、凹状面８１ａの中央部は貫通孔８１ｂが設けられている。
【００７４】
上蓋８１の凹状面８１ａに落下した結露水は中央に集合し、貫通孔８１ｂから貯水タンク８０内に進入する。
【００７５】
（３）放熱器１０を通過する空気の経路
図９Ａは、図３に示す仮想平面Ｆ１において切断された空気調和装置１００の部分断面図である。図９Ａにおいて、ファン１３のファンロータ１３ａは、第１側壁２１と第４側壁２４とで形成された第１コーナー２５に近い空間に、回転軸を鉛直方向に向けて配置されている。ファンロータ１３ａが回転すると、ケーシング２０の外側の空気が第１吸込口５と第２吸込口６から吸い込まれる。
【００７６】
（３−１）第１ディフューザ１５ａ
第１ディフューザ１５ａは、ファンロータ１３ａによって導入された空気を、その空気の流れの下流側に配置された放熱器１０に向けて拡散させる。ファンロータ１３ａの回転軸方向から視て、第１ディフューザ１５ａの最大幅は、放熱器１０の幅に対応するように設定されている。第１ディフューザ１５ａは、軽量化のため発泡材で成形されている。
【００７７】
（３−２）第１スクロール１６ａ
第１スクロール１６ａは、第１ディフューザ１５ａよりも風上側に位置しており、ファンロータ１３ａの外周から徐々に遠心方向に離れるように湾曲しながら延びて第１ディフューザ１５ａに繋がっている。第１スクロール１６ａは、軽量化のため発泡材で成形されている。
【００７８】
（３−３）第１舌部１７ａ
第１舌部１７ａは、第１ディフューザ１５ａよりも風上に位置しており、第１スクロール１６ａとは異なる位置で、ファンロータ１３ａの外周に最も近接する壁の端部から反り返るように第１ディフューザ１５ａに繋がっている。第１舌部１７ａは、軽量化のため発泡材で成形されている。
【００７９】
（３−４）第１通風路１８
図１０は、第１通風路１８および第２通風路１９の斜視図である。図１０において、第１通風路１８は、放熱器１０の風下側で、且つ、水受部材６０の下方に位置している。第１通風路１８は、円弧状の偏向板１８１と、偏向板１８１の端から真っ直ぐに延びる案内板１８２とを有している。案内板１８２が放熱器１０と対向するように配置されると、偏向板１８１が放熱器１０の一端と案内板１８２の一端を繋ぐ壁となる。
【００８０】
それゆえ、図９Ａに示すように、第１通風路１８は、第２側壁２２に向かって延びたのち徐々に方向を第１側壁２１に向け、最終的にほぼ９０°方向転換して、第１側壁２１の第１吹出口７と繋がる。第１通風路１８は、樹脂で成形されている。
【００８１】
（４）蒸発器１２を通過する空気の経路
図９Ｂは、図３に示す仮想平面Ｆ２において切断された空気調和装置１００の部分断面図である。図９Ｂにおいて、ファン１３のファンロータ１３ｂは、第１側壁２１と第４側壁２４とで形成された第１コーナー２５に近い空間に、回転軸を鉛直方向に向けて配置されている。ファンロータ１３ｂが回転すると、ケーシング２０の外側の空気が第１吸込口５と第２吸込口６から吸い込まれる。
【００８２】
（４−１）第２ディフューザ１５ｂ
第２ディフューザ１５ｂは、ファンロータ１３ｂによって導入された空気を、その空気の流れの下流側に配置された蒸発器１２に向けて拡散させる。ファンロータ１３ｂの回転軸方向から視て、第２ディフューザ１５ｂの最大幅は、蒸発器１２の幅に対応するように設定されている。第２ディフューザ１５ｂは、軽量化のため発泡材で成形されている。
【００８３】
（４−２）第２スクロール１６ｂ
第２スクロール１６ｂは、第２ディフューザ１５ｂよりも風上側に位置しており、ファンロータ１３ｂの外周から徐々に遠心方向に離れるように湾曲しながら延びて第２ディフューザ１５ｂに繋がっている。第２スクロール１６ｂは、軽量化のため発泡材で成形されている。
【００８４】
本実施形態では、第１スクロール１６ａと第２スクロール１６ｂとは一体に成形されており、ファン１３の回転軸方向から視て、第１スクロール１６ａと第２スクロール１６ｂとは同じ位置にあり、この構成によって送風効率が向上する。
【００８５】
但し、第１スクロール１６ａと第２スクロール１６ｂとが別個に成形されたものであっても、ファン１３の回転軸方向から視て、第１スクロール１６ａと第２スクロール１６ｂとのずれが中心角にして５°以内であれば、同様の送風効率が得られる。
【００８６】
（４−３）第２舌部１７ｂ
第２舌部１７ｂは、第２ディフューザ１５ｂよりも風上に位置しており、第２スクロール１６ｂとは異なる位置で、ファンロータ１３ｂの外周に最も近接する壁の端部から反り返るように第２ディフューザ１５ｂに繋がっている。第２舌部１７ｂは、軽量化のため発泡材で成形されている。
【００８７】
本実施形態では、第１舌部１７ａと第２舌部１７ｂとは一体に成形されており、ファン１３の回転軸方向から視て、第１舌部１７ａと第２舌部１７ｂとは同じ位置にあり、この構成によって送風効率が向上する。
【００８８】
但し、第１舌部１７ａと第２舌部１７ｂとが別個に成形されたものであっても、ファン１３の回転軸方向から視て、第１舌部１７ａと第２舌部１７ｂとのずれが中心角にして５°以内であれば、同様の送風効率が得られる。
【００８９】
（４−４）第２通風路１９
図１０に示すように、第２通風路１９は、蒸発器１２の風下側で、且つ、水受部材６０の上方に位置している。第２通風路１９は、第１縦板１９１、第２縦板１９２と、この２つの縦板の上端間を繋ぐ横板１９３とを有している。
【００９０】
第１縦板１９１の下端は、水受部材６０の第１リブ６３１の溝６３１ａにはめ込まれている。また、第２縦板１９２の下端は、水受部材６０の第２リブ６３２の溝６３２ａにはめ込まれている。
【００９１】
したがって、第２通風路１９は、水受部材６０、第１縦板１９１、第２縦板１９２、および横板１９３によって囲まれた真っ直ぐに延びる空間である。それゆえ、第２通風路１９は、図９Ｂに示すように、第２側壁２２に向かって延びて第２側壁２２の第２吹出口８と繋がる。第２通風路１９は、軽量化のため発泡材で成形されている。
【００９２】
（５）動作
図１１は、空気調和装置１００の制御ブロック図である。操作パネル３０１はマイクロコンピュータ４０と接続されている。例えば、ユーザーが操作パネル３０１上の運転スイッチ（図示せず）を介してマイクロコンピュータ４０に運転の開始、又は停止の指令を出すことができる。また、マイクロコンピュータ４０は運転指令が入力されると、圧縮機９、ファン１３およびダンパ装置７０の駆動部７２を適宜制御する。
【００９３】
空気調和装置１００が運転状態にあるときの冷媒回路内の冷媒の動きは以下のとおりである。圧縮機９で圧縮された高圧冷媒は、放熱器１０を流れる。放熱器１０では、高圧冷媒がそこを流れる空気へ放熱して凝縮し、その空気が加熱される。放熱器１０で加熱された空気は、第１吹出口７から吹き出される。
【００９４】
放熱器１０で凝縮した冷媒は、減圧機構１１で減圧された後、蒸発器１２を流れる。蒸発器１２を流れる冷媒は、蒸発器１２を通過する空気から吸熱して蒸発し、その空気が冷却される。蒸発器１２で冷却された空気は、第２通風路１９を流れて第２吹出口８から吹き出される。蒸発器１２で蒸発した冷媒は、圧縮機９に吸入され再び圧縮される。
【００９５】
ユーザーは、暖気を得たいときは第１吹出口７を手前に向けて自身に暖気が当たるようにし、冷気を得たいときは第２吹出口８を手前に向けて自身に冷気が当たるようにすればよい。
【００９６】
（５−１）通常モード
通常モードでは、放熱器１０を通過した空気は、図９Ａに示すように第１通風路１８だけに流れ、蒸発器１２を通過した空気は、図９Ｂに示すように第２通風路１９だけに流れる。
【００９７】
図１２Ａは、通常モードで運転中の空気調和装置１００の縦断面図である。図１２Ａにおいて、ダンパ装置７０のダンパ板７１は、連絡部６５としての開口を閉塞している。それゆえ、第１通風路１８を通る暖気が第２通風路１９に流れることもなく、第２通風路１９を通る冷気が第１通風路１８に流れることもない。
【００９８】
（５−２）第１モード
図１２Ｂは、第１モードで運転中の空気調和装置１００の縦断面図である。図１２Ｂにおいて、図１２Ａとの相違点は、ダンパ装置７０のダンパ板７１が、ダンパ板７１の風上側の端が第１通風路１８に入るように回動した第１姿勢を採る点である。
【００９９】
図１３Ａは、第１モードにおけるダンパ装置７０を示す斜視図である。図１３Ａにおいて、ダンパ装置７０は、ダンパ板７１の回動軸に、駆動部７２の本体７２ａから突き出る出力軸７２ｂが連結されている。
【０１００】
本体７２ａの内部には、モータとそのモータの回転を減速して出力軸７２ｂに伝達する減速ギアが収容されている。出力軸７２ｂを正面に視て出力軸７２ｂが時計方向（ＣＷ）に回動すると、ダンパ板７１は第１姿勢となり、ダンパ板７１の風上側の端が第１通風路１８に入る。
【０１０１】
ダンパ板７１が第１姿勢のとき、図１２Ｂに示すように、第１通風路１８を流れる暖気の一部がダンパ板７１に沿って流れて、第２通風路１９に流入する。第２通風路１９に流れる空気は、蒸発器１２を通って冷却された冷気であるが、ダンパ板７１を介して流入した暖気と混合されることによって温度が上昇する。
【０１０２】
したがって、冷気の供給を受けているユーザーは、冷気の温度を上昇させたいときは第１モードを選択すればよい。モードの選択・切換は空気調和装置１００の天板３０に設けられている操作パネル３０１から行うことができる。
【０１０３】
温度の上昇幅は、第１モードにおけるダンパ板７１の開度に依存するが、予めダンパ板７１の開度を複数段階に設定しておき、操作パネル３０１を介してユーザーに選択させることも可能である。
【０１０４】
（５−３）第２モード
図１２Ｃは、第２モードで運転中の空気調和装置１００の縦断面図である。図１２Ｃにおいて、図１２Ａとの相違点は、ダンパ装置７０のダンパ板７１が、ダンパ板７１の風上側の端が第２通風路１９に入るように回動した第２姿勢を採る点である。
【０１０５】
図１３Ｂは、第２モードにおけるダンパ装置７０を示す斜視図である。図１３Ｂにおいて、出力軸７２ｂを正面に視て出力軸７２ｂが反時計方向（ＣＣＷ）に回動すると、ダンパ板７１は第２姿勢となり、ダンパ板７１の風上側の端が第２通風路１９に入る。
【０１０６】
ダンパ板７１が第２姿勢のとき、図１２Ｃに示すように、第２通風路１９を流れる冷気の一部がダンパ板７１に沿って流れて、第１通風路１８に流入する。第１通風路１８に流れる空気は、放熱器１０を通って加熱された暖気であるが、ダンパ板７１を介して流入した冷気と混合されることによって温度が下降する。
【０１０７】
したがって、暖気の供給を受けているユーザーは、暖気の温度を下降させたいときは第２モードを選択すればよい。
【０１０８】
温度の下降幅は、第２モードにおけるダンパ板７１の開度に依存するが、予めダンパ板７１の開度を複数段階に設定しておき、操作パネル３０１を介してユーザーに選択させることも可能である。
【０１０９】
（６）特徴
（６−１）
空気調和装置１００では、ダンパ装置７０のダンパ板７１が連絡部６５を、空気の流通を許容する状態および空気の流通を阻止する状態のいずれかに切り換えることができる。その結果、第１通風路１８の暖気を第２通風路１９の冷気に混ぜて冷気の温度調節をし、又は第２通風路１９の冷気を第１通風路１８の暖気に混ぜて暖気の温度調節をすることによって、冷気および暖気それぞれの吹出空気の温度を制御することができる。
【０１１０】
（６−２）
空気調和装置１００では、第１通風路１８からの空気を吹き出す第１吹出口７と、第２通風路１９からの空気を吹き出す第２吹出口８とを有している。その結果、第１吹出口７からは暖気、又は冷気を混合して温度調節された暖気が吹き出される。第２吹出口８からは冷気、又は暖気を混合して温度調節された冷気が吹き出される。
【０１１１】
（６−３）
空気調和装置１００では、第１通風路１８と第２通風路１９とを分ける仕切部材である水受部材６０の拡張部６２に、連絡部６５およびダンパ板７１が設けられている。その結果、第１通風路１８および第２通風路１９の双方に最も近い位置に連絡部６５およびダンパ板７１を設けることができるので、製品の小型化に寄与する。
【０１１２】
（６−４）
ダンパ板７１は空気の流通方向を切り換えるので、第１通風路１８から吹き出される暖気の温度を変えずに第２通風路１９から吹き出される冷気の温度を上げ、又は第２通風路１９から吹き出される冷気の温度を変えずに第１通風路１８から吹き出される暖気の温度を下げることができる。
【０１１３】
（６−５）
ダンパ板７１は空気の流通量を調節するので、第２通風路１９から吹き出される冷気の温度の上げ幅を制御し、又は第１通風路１８から吹き出される暖気の温度の下げ幅を制御することができる。
【０１１４】
（６−６）
ダンパ板７１は、第１姿勢を採ることにより、第１通風路１８から吹き出される暖気の温度を変えずに、第２通風路１９から吹き出される冷気の温度を上げ、且つ、その上げ幅を制御することができる。また、ダンパ板７１は、第２姿勢を採ることにより、第２通風路１９から吹き出される冷気の温度を変えずに第１通風路１８から吹き出される暖気の温度を下げ、且つ、その下げ幅を制御することができる。
【０１１５】
（６−７）
ダンパ板７１は、回動可能な板状部材であり、第１姿勢では、ダンパ板７１の風上側の端が第１通風路１８に入る。第２姿勢では、ダンパ板７１の風上側の端が第２通風路１９に入る。その結果、第１姿勢ではダンパ板７１の風上側の端が第１通風路１８の暖気を捉えて第２通風路１９に導くことができる。第２姿勢ではダンパ板７１の風上側の端が第２通風路１９の冷気を捉えて第１通風路１８に導くことができる。
【０１１６】
（６−８）
蒸発器１２で生じる結露水を受けて放熱器１０に導く水受部材６０が、蒸発器１２の風下側に向かって延びる拡張部６２を有しており、拡張部６２が仕切部材を兼ねている。仕切部材と水受部材とを共用するので、部品点数の削減に寄与する。
【０１１７】
（６−９）
連絡部６５は開口であるので、構造がシンプルで製品の小型化に寄与する。
【０１１８】
（６−１０）
空気調和装置１００では、フィンアンドチューブ式の熱交換器である。蒸発器１２の伝熱管の列数は、放熱器１０の伝熱管の列数よりも少ない。
【０１１９】
（７）変形例
上記実施形態では、第１通風路１８と第２通風路１９とを連絡する連絡部６５が、第１通風路１８と第２通風路１９とを仕切る水受部材６０の拡張部６２に設けられていたので、連絡部６５は拡張部６２の壁を厚み方向に貫通する開口だけである。
【０１２０】
それゆえ、ダンパ装置７０は一枚のダンパ板７１を連絡部６５に配置し、その一枚のダンパ板７１の回動方向を変えるだけで、「連絡部６５を閉塞する通常モード」、「第１通風路１８を流れる暖気の一部を第２通風路１９へ流す第１モード」、および、「第２通風路１９を流れる冷気の一部を第１通風路１８へ流す第２モード」のいずれかを実現することができる。
【０１２１】
しかしながら、連絡部が筒状の風路である場合、一枚のダンパ板７１だけは、第１モードおよび第２モードを実現することはできない。ここでは、連絡部として、筒状の風路を想定した変形例について説明する。
【０１２２】
（７−１）通常モード
図１４Ａは、通常モードで運転中の変形例の空気調和装置１００の縦断面図である。図１４Ａにおいて、図１２Ａとの相違点は、第１通風路１８と第２通風路１９との間に空洞があり、空気がその空洞を最短距離で通過することができるように、筒状の連絡部１６５が設けられている点である。
【０１２３】
また、筒状の連絡部１６５には、第１通風路１８側の第１開口１６５ａおよび第２通風路１９側の第２開口１６５ｂそれぞれにダンパ装置７０が配置されている。説明の便宜上、第１開口１６５ａに配置されたダンパ装置７０のダンパ板７１を第１ダンパ板７１Ａ、第２開口１６５ｂに配置されたダンパ装置７０のダンパ板７１を第２ダンパ板７１Ｂという。
【０１２４】
なお、図示していないが、第１ダンパ７１Ａおよび第２ダンパ７１Ｂそれぞれに駆動部７２が対応している。その他の構成は、図１２Ａを同様であるので、同一名称、同一符号を付して説明を省略する。
【０１２５】
図１４Ａに示すように、第１ダンパ板７１Ａが第１開口１６５ａを閉塞し、第２ダンパ板７１Ｂが第２開口１６５ｂを閉塞している。それゆえ、第１通風路１８を通る暖気が連絡部１６５を通って第２通風路１９に流れることもなく、第２通風路１９を通る暖気が連絡部１６５を通って第１通風路１８に流れることもない。
【０１２６】
（７−２）第１モード
図１４Ｂは、第１モードで運転中の変形例の空気調和装置１００の縦断面図である。図１４Ｂにおいて、図１４Ａとの相違点は、第１ダンパ板７１Ａが、第１ダンパ板７１Ａの風上側の端が第１通風路１８に入るように回動した姿勢を採り、さらに、第２ダンパ板７１Ｂが、第２ダンパ板７１Ｂの風下側の端が第２通風路１９に入るように回動した姿勢を採っている点である。
【０１２７】
説明の便宜上、上記第１ダンパ板７１Ａの姿勢および第２ダンパ板７１Ｂの姿勢の組み合わせを第１組み合わせ姿勢という。
【０１２８】
第１ダンパ板７１Ａおよび第２ダンパ板７１Ｂが第１組み合わせ姿勢を採ることによって、図１４Ｂに示すように、第１通風路１８を流れる暖気の一部が第１ダンパ板７１Ａに沿って連絡部１６５に入り、連絡部１６５内部を流れ、第２ダンパ板７１Ｂに沿って第２通風路１９へ流入する。第２通風路１９に流れる空気は、蒸発器１２を通って冷却された冷気であるが、第１ダンパ板７１Ａ、連絡部１６５および第２ダンパ板７１Ｂを介して流入した暖気と混合されることによって温度が上昇する。
【０１２９】
したがって、冷気の供給を受けているユーザーは、冷気の温度を上昇させたいときは第１モードを選択すればよい。モードの選択・切換は空気調和装置１００の天板３０に設けられている操作パネル３０１から行うことができる。
【０１３０】
温度の上昇幅は、第１モードにおける第１ダンパ板７１Ａおよび第２ダンパ７１Ｂの開度に依存するが、予め第１ダンパ板７１Ａおよび第２ダンパ板７１Ｂそれぞれの開度を複数段階に設定しておき、操作パネル３０１を介してユーザーに選択させることも可能である。
【０１３１】
もちろん、第１ダンパ板７１Ａおよび第２ダンパ板７１Ｂそれぞれの開度を等しくする必要はなく、それぞれ異なる開度で組み合わされてもよい。
【０１３２】
（７−３）第２モード
図１４Ｃは、第２モードで運転中の変形例の空気調和装置１００の縦断面図である。図１４Ｃにおいて、図１４Ａとの相違点は、第１ダンパ板７１Ａが、第１ダンパ板７１Ａの風下側の端が第１通風路１８に入るように回動した姿勢を採り、さらに、第２ダンパ板７１Ｂが、第２ダンパ板７１Ｂの風上側の端が第２通風路１９に入るように回動した姿勢を採っている点である。
【０１３３】
説明の便宜上、上記第１ダンパ板７１Ａの姿勢および第２ダンパ板７１Ｂの姿勢の組み合わせを第２組み合わせ姿勢という。
【０１３４】
第１ダンパ板７１Ａおよび第２ダンパ板７１Ｂが第２組み合わせ姿勢を採ることによって、図１４Ｃに示すように、第２通風路１９を流れる冷気の一部が第２ダンパ板７１Ｂに沿って連絡部１６５に入り、連絡部１６５内部を流れ、第１ダンパ板７１Ａに沿って第１通風路１８へ流入する。第１通風路１８に流れる空気は、放熱器１０を通って加熱された暖気であるが、第２ダンパ板７１Ｂ、連絡部１６５および第１ダンパ板７１Ａを介して流入した冷気と混合されることによって温度が下降する。
【０１３５】
したがって、暖気の供給を受けているユーザーは、暖気の温度を下降させたいときは第２モードを選択すればよい。モードの選択・切換は空気調和装置１００の天板３０に設けられている操作パネル３０１から行うことができる。
【０１３６】
温度の下降幅は、第１モードにおける第１ダンパ板７１Ａおよび第２ダンパ７１Ｂの開度に依存するが、予め第１ダンパ板７１Ａおよび第２ダンパ板７１Ｂそれぞれの開度を複数段階に設定しておき、操作パネル３０１を介してユーザーに選択させることも可能である。
【０１３７】
もちろん、第１ダンパ板７１Ａおよび第２ダンパ板７１Ｂそれぞれの開度を等しくする必要はなく、それぞれ異なる開度で組み合わされてもよい。
【０１３８】
以上、本開示の実施形態を説明したが、特許請求の範囲に記載された本開示の趣旨および範囲から逸脱することなく、形態や詳細の多様な変更が可能なことが理解されるであろう。
【産業上の利用可能性】
【０１３９】
本開示の内容は、局所的な冷房又は暖房を行う空気調和装置、若しくはウィンドウ・エアコンに有用である。
【符号の説明】
【０１４０】
９          圧縮機
１０        放熱器
１２        蒸発器
１３        ファン
２０        ケーシング
６０        水受部材
６１        導水部
６２        拡張部
１００      空気調和装置
１０１      フィン（放熱部材）
１０３      伝熱管
１１３      扁平管（放熱部材）
１１５      波形フィン
１２１      フィン（伝熱部材）
【先行技術文献】
【特許文献】
【０１４１】
【特許文献１】特開２００３−３１４８５５号公報
【図１】
2022001799.tif 000003
【図２】
2022001799.tif 000004
【図３】
2022001799.tif 000005
【図４】
2022001799.tif 000006
【図５】
2022001799.tif 000007
【図６】
2022001799.tif 000008
【図７】
2022001799.tif 000009
【図８】
2022001799.tif 000010
【図９Ａ】
2022001799.tif 000011
【図９Ｂ】
2022001799.tif 000012
【図１０】
2022001799.tif 000013
【図１１】
2022001799.tif 000014
【図１２Ａ】
2022001799.tif 000015
【図１２Ｂ】
2022001799.tif 000016
【図１２Ｃ】
2022001799.tif 000017
【図１３Ａ】
2022001799.tif 000018
【図１３Ｂ】
2022001799.tif 000019
【図１４Ａ】
2022001799.tif 000020
【図１４Ｂ】
2022001799.tif 000021
【図１４Ｃ】
2022001799.tif 000022